(57)【要約】【課題】外部からネジを視認することができないようにしながらも、側面外装パネルと電子機器本体との隙間をなくす。【解決手段】ＣＤプレーヤ２のケース４は、ベース板１０、前面外装パネル１１及び側面外装パネル１２を有する。側面外装パネル１２の左側面部１２ａ及び右側面部１２ｂに、ピン挿入凹部１２ｄを形成する。ベース板１０に取り付けた支持板１４に、スライド板１６をスライド自在に取り付ける。取付ピン１７の頭部１７ａ及び挿入部１７ｂを、ピン挿入凹部１２ｄに挿入して、取付ピン１７を側面外装パネル１２に係合する。取付ピン１７の係合部１７ｅを、スライド板１６に係合する。ネジ孔１６ｅにネジ止めされたネジ２０を、Ａ方向に回転させると、スライド板１６が後方にスライドして取付ピン１７が内側方向に移動し、側面外装パネル１２は、ベース板１０に密着する方向に押し付けられる。【選択図】図８
2008117970.tif 000002
【特許請求の範囲】
【請求項１】
電子機器本体が取り付けられるベース部材と、
前記ベース部材に取り付けられ、前記電子機器本体の前面を覆う前面外装パネルと、
前記ベース部材に取り付けられ、前記電子機器本体の側面を覆う側面外装パネルと、を備え、前記電子機器本体を収納する電子機器ケースであって、
前記側面外装パネルの内側に、第１の方向及び前記第１の方向とは逆方向となる第２の方向にスライド自在に設けられたスライド板と、
前記スライド板を前記第１の方向にスライドさせたときに、前記側面外装パネルを前記ベース部材に密着する方向に押し付ける押付手段と、を備えたことを特徴とする電子機器ケース。
【請求項２】
前記押付手段は、前記スライド板を前記第２の方向にスライドさせたときに、前記側面外装パネルの押し付けを解除することを特徴とする請求項１記載の電子機器ケース。
【請求項３】
前記スライド板をスライドさせた位置で保持する保持手段を備えたことを特徴とする請求項１または２記載の電子機器ケース。
【請求項４】
前記押付手段は、
前記側面外装パネルの内面に当該側面外装パネルの取り付け方向に沿って形成された凹部と、
前記凹部に一端が挿入され、前記側面外装パネルに係合する挿入ピンと、
前記スライド板に前記第１の方向に沿って形成され、前記挿入ピンの他端が挿通されて当該挿入ピンに係合するピン挿通孔と、
前記スライド板に設けられ、前記スライド板を前記第１の方向にスライドさせたときに、前記挿入ピンの他端に当接して当該挿入ピンを内側方向に移動させ、前記側面外装パネルを前記ベース部材に密着する方向に押し付ける当接部と、を備えたことを特徴とする請求項１ないし３いずれか１つ記載の電子機器ケース。
【請求項５】
操作可能に設けられ、前記スライド板を、前記第１の方向及び前記第２の方向にスライドさせるスライド操作手段を備えたことを特徴とする請求項１ないし４いずれか１つ記載の電子機器ケース。
【請求項６】
前記スライド操作手段は、
外部から操作可能に設けられたネジと、
前記スライド板に設けられたネジ孔と、を備え、
前記ネジを前記ネジ孔にネジ止めすると、前記スライド板はスライドされた位置で保持されることを特徴とする請求項５記載の電子機器ケース。
【発明の詳細な説明】
【技術分野】
【０００１】
本発明は、電子機器の駆動部を収納する電子機器ケースに関し、詳しくは、側面外装パネルの取り付け方法に関するものである。
【背景技術】
【０００２】
ＣＤプレーヤ等の電子機器は、光ピックアップやスピンドルモータ等を有するプレーヤユニット（電子機器本体）がケース内部に収納されている。ケースは、プレーヤユニットが取り付けられるベース板と、プレーヤユニットの前面を覆う前面外装パネルと、プレーヤユニットの側面を覆う側面外装パネルと、を備える。
【０００３】
前面外装パネル及び側面外装パネルは、ベース板に取り付けられている。側面外装パネルの取付方法としては、側面外装パネルに取付用の取付孔を形成し、この取付孔を介して、ネジをベース板にネジ止めする。この取付方法では側面外装パネルの外側にネジ頭部が露出し、外部から視認できるため、デザイン性が悪いという問題があった。そこで、側面外装パネルの外側にネジ頭部が露出しないようにするための技術が提案されている（例えば、特許文献１及び２参照）。
【０００４】
特許文献１では、機器本体の両側部を被う両側１対の側板と、機器本体の上部を被う天板と、を備え、側板の内側前部及び内側後部に、機器本体に対する取付部を設け、この取付部で側板を機器本体に取り付けることにより、側板の外側にネジ頭部が露出しないようにした音響機器等のボンネットが提案されている。
【０００５】
また、特許文献２では、音響調整卓本体の側面に、音響調整卓本体の底面方向からネジを挿入して、側面パッドを固定することにより、外部からネジ頭部が視認できないようにした音響調整卓が提案されている。また、特許文献２では、ネジ座面部、不完全ネジ部及び雄ネジ部を有する特殊ネジを、特殊ネジ取付板を介して側面パッドの内側面に固定するとともに、音響調整卓本体の側面に、切欠部を有する位置検出ガイドを備えたアングルを固定し、不完全ネジ部を切欠部に嵌めることにより、側面パッドの位置決めを行っている。
【特許文献１】実公平１−３５４９８号公報
【特許文献２】特開２００１−８５８７１号公報
【発明の開示】
【発明が解決しようとする課題】
【０００６】
しかしながら、特許文献１及び２では、本体に側板または側面パッドを取り付けたときの側板または側面パッドの位置決め（左右方向）は、本体に設けられたネジ孔の位置によって決まるため、寸法公差等の影響により、ネジ孔を設ける位置が正規の位置からズレた場合には、本体と側板または側面パッドとの間に隙間が生じることがあった。この隙間の発生は、側板または側面パッドを外側から本体にネジ止めする方式では、発生しないことであり、隙間の発生により、機器のガタつきが生じる、隙間から内部に粉塵が侵入するという問題があった。
【０００７】
本発明は、上記課題を解決するためになされたものであり、外部からネジを視認することができないようにしてデザインの自由度を向上しながらも、側面外装パネルとベース部材との隙間をなくすことができる電子機器ケースを提供することを目的とする。
【課題を解決するための手段】
【０００８】
上記目的を達成するために、本発明の電子機器ケースは、電子機器本体が取り付けられるベース部材と；前記ベース部材に取り付けられ、前記電子機器本体の前面を覆う前面外装パネルと；前記ベース部材に取り付けられ、前記電子機器本体の側面を覆う側面外装パネルと；を備え、前記電子機器本体を収納する電子機器ケースであって、前記側面外装パネルの内側に、第１の方向及び前記第１の方向とは逆方向となる第２の方向にスライド自在に設けられたスライド板と；前記スライド板を前記第１の方向にスライドさせたときに、前記側面外装パネルを前記ベース部材に密着する方向に押し付ける押付手段と；を備えたことを特徴とする。
【０００９】
なお、本発明の電子機器ケースは、電子機器本体を収納するものであれば適用可能であり、電子機器本体とこれを収納する電子機器ケースとを有する電子機器としては、例えば、ＣＤプレーヤ、ＤＶＤプレーヤ、ディスクドライブ、アンプ、コンバータ等が挙げられる。また、前面外装パネルは、前記ベース部材の外側に取り付けられることが好ましい。さらに、前記側面外装パネルは、前記電子機器本体の左側面、右側面及び上側面のうちの少なくとも１面を覆うように形成されている。
【００１０】
また、前記押付手段は、前記スライド板を前記第２の方向にスライドさせたときに、前記側面外装パネルの押し付けを解除することが好ましい。
【００１１】
さらに、前記スライド板をスライドさせた位置で保持する保持手段を備えることが好ましい。
【００１２】
また、前記押付手段は、前記側面外装パネルの内面に当該側面外装パネルの取り付け方向に沿って形成された凹部と；前記凹部に一端が挿入され、前記側面外装パネルに係合する挿入ピンと；前記スライド板に前記第１の方向に沿って形成され、前記挿入ピンの他端が挿通されて当該挿入ピンに係合するピン挿通孔と；前記スライド板に設けられ、前記スライド板を前記第１の方向にスライドさせたときに、前記挿入ピンの他端に当接して当該挿入ピンを内側方向に移動させ、前記側面外装パネルを前記ベース部材に密着する方向に押し付ける当接部と；を備えることが好ましい。なお、前記当接部を、前記第２の方向に向かうにつれて、内側に傾斜するように形成することが好ましく、前記当接部を、このように形成することにより、前記スライド板を前記第１の方向にスライドさせたときに、前記挿入ピンは、前記当接部の傾斜方向に沿って、内側方向に移動する。
【００１３】
さらに、操作可能に設けられ、前記スライド板を、前記第１の方向及び前記第２の方向にスライドさせるスライド操作手段を備えることが好ましい。
【００１４】
また、前記スライド操作手段は、外部から操作可能に設けられたネジと；前記スライド板に設けられたネジ孔と；を備え、前記ネジを前記ネジ孔にネジ止めすると、前記スライド板はスライドされた位置で保持されることが好ましい。
【発明の効果】
【００１５】
本発明の電子機器ケースによれば、側面外装パネルの内側に設けられたスライド板をスライドさせることにより、側面外装パネルをベース部材に密着させて取り付けるから、側面外装パネルの側面にネジ等の取付部材が露呈することがないようにしてデザインの自由度を向上しながらも、ベース部材と側面外装パネルとの隙間をなくすことができる。これにより、ベース部材と側面外装パネルとの隙間から電子機器ケースの内部に粉塵が侵入することを防止することができる。
【発明を実施するための最良の形態】
【００１６】
図１及び図２に示すように、本発明を用いたＣＤプレーヤ２は、ＣＤ（コンパクトディスク）３にアクセスして、ＣＤ３にデータの記録及び／または再生を行うものである。
【００１７】
ＣＤプレーヤ２は、ケース４の内部に、ディスクトレイ５、光ピックアップ６（図３参照）等を有するプレーヤユニット（電子機器本体）７が収納されている。プレーヤユニット７は、公知のものであり、その詳細な説明は省略するが、図示しないスピンドルモータ等を有する。ディスクトレイ５は、ケース４の内部に収納される位置（図１参照）と、ケース４から露出する位置（図２参照）との間でスライド自在に設けられている。また、ケース４の内部には、ＣＤプレーヤ２の駆動を制御する制御部８が組み込まれている。
【００１８】
図３及び図４に示すように、ケース４は、プレーヤユニット７の下面及び後面を覆うベース板（ベース部材）１０と、プレーヤユニット７の前面を覆う前面外装パネル１１と、プレーヤユニット７の左右側面及び上面を覆う側面外装パネル１２と、を有する。前面外装パネル１１及び側面外装パネル１２は、それぞれベース板１０に取り付けられる。
【００１９】
ベース板１０は、プレーヤユニット７の下面を覆う下面部１０ａと、プレーヤユニット７の後面を覆う後面部１０ｂと、前面外装パネル１１を取り付けるための取付部１０ｃとからなる。ベース板１０は、金属により構成され、後述するスライド板１６のスライド時に取付ピン１７からの力が加わっても変形しないように、厚さ１．６ｍｍで形成されている。後面部１０ｂには、スライド板１６をスライドさせるネジ２０を挿通するためのネジ挿通孔１０ｄが、左右に２個ずつ計４個形成されている。ネジ挿通孔１０ｄは、ネジ２０の頭部が、後面部１０ｂの後面から突出しないように、２段の段付き状に形成されている。取付部１０ｃには、前面外装パネル１１を取り付けるための取付孔１０ｅが、３個形成されている。なお、ベース板１０の厚みは、適宜変更可能である。
【００２０】
下面部１０ａの上面には、スライド板１６をスライド自在に支持する支持板１４が左右に１個ずつ計２個取り付けられる。支持板１４は略Ｌ字状に形成され、側面には、取付ピン１７が挿通されるピン挿通孔１４ａが、前後に２個ずつ計４個形成されている。支持板１４の下面には、取付孔１４ｂが３個形成されており、ネジ（図示せず）を、取付孔１４ｂを介して、ベース板１０に形成されたネジ止め孔（図示せず）にネジ止めすることによって、支持板１４は、ベース板１０に取り付けられる。
【００２１】
前面外装パネル１１の後面には、ネジ止め孔（図示せず）が、取付孔１０ｅに対応した位置に３個形成されている。ネジ（図示せず）を、取付孔１０ｅを介してネジ止め孔にネジ止めすることによって、前面外装パネル１１がベース板１０に取り付けられる。
【００２２】
前面外装パネル１１の前面には、電源スイッチ、ディスクトレイ５を開閉するための開閉スイッチ、再生スイッチ、停止スイッチ、一時停止スイッチ、１トラック早送りスイッチ、１トラック巻き戻しスイッチ、早送りスイッチ、巻き戻しスイッチ等の各種スイッチ（図示せず）、及びＬＣＤ等が設けられている。
【００２３】
図４及び図５に示すように、スライド板１６は、弾性のある金属により構成され、後述するスライド時に取付ピン１７からの力が加わっても変形が僅かになるように、厚さ１．６ｍｍで形成されている。スライド板１６は、１枚の支持板１４に２個ずつ支持され、計４個設けられている。なお、スライド板１６の厚みは、適宜変更可能である。また、図面の乱雑を避けるため、図４においては、４個のスライド板１６のうち２個のみを図示し、図５においては、１枚の支持板１４に支持される２個のスライド板１６のうち１個のみを図示している。
【００２４】
スライド板１６は、略Ｌ字状に形成され、Ｌ字状の長辺となる１辺には、取付ピン１７が挿通される鍵穴状のピン挿通孔１６ａと、ピン挿通孔１６ａを挿通された取付ピン１７の係合部１７ｅに当接する当接部１６ｂと、が前後に１個ずつ計２個形成されている。ピン挿通孔１６ａは、円形状の円形部１６ｃと、長孔状の長孔部１６ｄとから構成され、長孔部１６ｄは、当接部１６ｂに至る範囲で形成されている。当接部１６ｂは、前面側に向かうにつれて、内側に傾斜（４°）するように形成されている。なお、当接部１６ｂの傾斜角度は適宜変更可能である。
【００２５】
スライド板１６は、Ｌ字状の短辺となる１辺に、ネジ切りされたネジ孔１６ｅが形成されている。ネジ孔１６ｅは、ベース板１０のネジ挿通孔１０ｄに対応した位置に形成されている。
【００２６】
取付ピン（挿入ピン）１７は、頭部（一端）１７ａ、挿入部１７ｂ、挿通部１７ｃ、小径部１７ｄ、係合部（他端）１７ｅを備える。頭部１７ａ及び挿入部１７ｂは、ピン挿入凹部１２ｄに挿入可能で、且つ、ピン挿入凹部１２ｄに挿入したときに、側面外装パネル１２に係合する径で形成されている。挿通部１７ｃは、ピン挿通孔１４ａに挿通可能な径で形成され、小径部１７ｄは、ピン挿通孔１４ａ及び長孔部１６ｄに挿通可能な径で形成されている。係合部１７ｅは、ピン挿通孔１４ａ及び円形部１６ｃに挿通可能で、且つ、長孔部１６ｄよりも大きい径で形成されている。
【００２７】
側面外装パネル１２は、左側面部１２ａと、右側面部１２ｂと、上側面部１２ｃとからなり、アルミにより構成されている。板状の各側面部１２ａ，１２ｂの内面には、取付ピン１７の頭部１７ａ及び挿入部１７ｂが挿入されるピン挿入凹部１２ｄが、上下に１個ずつ計２個形成されている。ピン挿入凹部１２ｄは、ピン挿通孔１４ａに対応した位置に形成されている。ピン挿入凹部１２ｄは、略Ｔ字状になるように形成されており、各側面部１２ａ，１２ｂの前端から後端に亘って貫通して形成されている。
【００２８】
ＣＤプレーヤ２を組み立てるときには、図６及び図７（Ａ）に示すように、ベース板１０に、プレーヤユニット７、前面外装パネル１１及び２枚の支持板１４を取り付ける。この状態で、支持板１４の外側から、取付ピン１７をピン挿通孔１４ａに挿通する。次に、ピン挿通孔１４ａを挿通された取付ピン１７の小径部１７ｄ及び係合部１７ｅに、スライド板１６の円形部１６ｃを挿通する。そして、スライド板１６を、後方にスライドさせると、取付ピン１７の係合部１７ｅが、ピン挿通孔１６ａの長孔部１６ｄに移動して、取付ピン１７がスライド板１６に係合する。これにより、スライド板１６が支持板１４にスライド自在に取り付けられる。なお、図６においては、図面の乱雑を避けるため、プレーヤユニット７、前面外装パネル１１の図示を省略し、さらに、側面外装パネル１２は、左側面部１２ａのみを図示している。
【００２９】
次に、ネジ２０を、ネジ挿通孔１０ｄを介してネジ孔１６ｅにネジ止めする。ネジ２０を、ネジ孔１６ｅにネジ止めすることによって、スライド板１６は、スライドされた位置で保持される。この状態で、側面外装パネル１２を取り付ける。側面外装パネル１２を取り付けるときには、ベース板１０の後方に側面外装パネル１２を配し、ピン挿入凹部１２ｄの前端から、取付ピン１７の頭部１７ａ及び挿入部１７ｂが挿入されるように、側面外装パネル１２を、前方に向けてスライドさせる。そして、側面外装パネル１２の前面が、前面外装パネル１１の後面に当接するまで、側面外装パネル１２をスライドさせて、側面外装パネル１２の前後方向の位置決めを行う。この状態では、側面外装パネル１２は、スライド自在であり、ベース板１０に係止されておらず、左側面部１２ａの内側面とベース板１０の左側面との隙間Ｇ（距離）＞０となる（隙間がある）。本実施形態では、スライド板１６をスライドさせた位置で保持する保持手段は、ネジ孔１６ｅとネジ２０とから構成される。
【００３０】
図７（Ｂ）及び図８に示すように、ネジ２０をＡ方向に回転させると、スライド板１６が後方（第１の方向）にスライドする。スライド板１６が後方にスライドすると、当接部１６ｂが取付ピン１７の係合部１７ｅに当接する。当接部１６ｂは、前面側に向かうにつれて、内側に傾斜するように形成されており、スライド板１６が後方にスライドすると、取付ピン１７は、当接部１６ｂにより内側方向に移動する。取付ピン１７が内側方向に移動すると、側面外装パネル１２の左側面部１２ａは、内側方向に移動してベース板１０に密着する方向に押し付けられる。これにより、左側面部１２ａの内側面とベース板１０の左側面との隙間（距離）Ｇ＝０となり（隙間がない）、側面外装パネル１２は、スライド不能となるとともに、ベース板１０に密着して取り付けられる。なお、側面外装パネル１２のベース板１０への押し付け力は、ネジ２０の回転数（回転角度）によって調整することができる。
【００３１】
側面外装パネル１２を取り外すときには、ネジ２０をＢ方向に回転させる。ネジ２０を、Ｂ方向に回転させると、スライド板１６が前方（第２の方向）にスライドし、当接部１６ｂによる係合部１７ｅの係止が解除される。当接部１６ｂによる係合部１７ｅの係止が解除されると、側面外装パネル１２の押し付けが解除され、側面外装パネル１２がスライド自在となる。そして、側面外装パネル１２を、後方に向けてスライドさせる。ピン挿入凹部１２ｄから、頭部１７ａ及び挿入部１７ｂが抜けるまで、側面外装パネル１２を後方にスライドさせると、側面外装パネル１２がベース板１０から取り外される。
【００３２】
右側面部１２ｂをベース板１０に密着させて取り付けるときにも、上記のような左側面部１２ａをベース板１０に密着させるのと同様に行う。
【００３３】
次に、上記のように構成されたＣＤプレーヤ２の作用について説明する。ＣＤプレーヤ２を組み立てるときには、ベース板１０に、プレーヤユニット７、前面外装パネル１１及び２枚の支持板１４を取り付ける。そして、側面外装パネル１２をベース板１０に取り付けた後、ネジ２０をＡ方向に回転させてスライド板１６を後方にスライドさせる。スライド板１６が後方にスライドすると、取付ピン１７が内側方向に移動し、側面外装パネル１２が内側方向に移動してベース板１０に密着する（側面外装パネル１２が、ベース板１０に密着する方向に押し付けられる）。
【００３４】
このように、スライド板１６と取付ピン１７とネジ２０とにより、側面外装パネル１２をベース板１０に密着させて取り付けるから、側面外装パネル１２の各側面部１２ａ〜１２ｃから、取付用のネジが露呈することがなくなる。これにより、ＣＤプレーヤ２のデザインの自由度（側面外装パネル１２のデザインの自由度）を向上することができる。
【００３５】
また、アルミ製の側面外装パネル１２の各側面部１２ａ〜１２ｃに、ネジ取付用の孔や座ぐり等の後加工をする必要がないから、側面外装パネル１２をアルミ押出しのみにより成形することができ、側面外装パネル１２のコストダウンを図ることができる。
【００３６】
さらに、スライド板１６と取付ピン１７とネジ２０とにより、側面外装パネル１２をベース板１０に密着させるから、ベース板１０と側面外装パネル１２との隙間が生じることがない。これにより、ベース板１０と側面外装パネル１２との隙間からＣＤプレーヤ２の内部に粉塵が侵入することを防止することができ、粉塵の侵入に起因するプレーヤユニット７や制御部８等の故障を防止することができる。
【００３７】
また、ネジ２０をネジ孔１６ｅにネジ止めすると、スライド板１６はスライドされた位置で保持されるから、側面外装パネル１２をベース板１０に密着させる密着力を維持することができる。
【００３８】
さらに、ユーザが、ネジ２０をＢ方向に回転させ、当接部１６ｂによる係合部１７ｅの係止を解除させ、側面外装パネル１２がスライド自在となった場合にも、側面外装パネル１２を後方にスライドさせない限りは、側面外装パネル１２をベース板１０から取り外すことができないから、側面外装パネルをベース板にネジ止めしているもの（ネジ止めを解除すると側面外装パネルが取り外し可能になる）に比べて、側面外装パネル１２の取り外し方法が分かりにくい。これにより、ユーザが、側面外装パネル１２を取り外して、ケース４の内部（プレーヤユニット７や制御部８等）に触ることを抑制することができ、ユーザがプレーヤユニット７や制御部８等に触ることに起因するプレーヤユニット７や制御部８等の故障、及び、ユーザの感電を抑制することができる。
【００３９】
なお、上記実施形態では、スライド板１６を、１枚の支持板１４に２個ずつ取り付けたが、スライド板１６の個数は適宜変更可能である。
【００４０】
また、上記実施形態では、スライド板１６に、ピン挿通孔１６ａ及び当接部１６ｂを２個形成したが、これらの個数は適宜変更可能である。
【００４１】
さらに、上記実施形態では、スライド板１６を、前後方向にスライド自在に支持板１４に取り付けたが、スライド板１６を上下方向にスライド自在に支持板１４に取り付けるようにしてもよい。この場合には、ネジ挿通孔１０ｄを、下面部１０ａに形成する。
【００４２】
また、上記実施形態では、側面外装パネル１２を、後方から前方に向けてスライドさせてベース板１０に取り付けたが、側面外装パネル１２を、上方から下方に向けてスライドさせてベース板１０に取り付けるようにしてもよい。この場合には、ピン挿入凹部１２ｄを、上下方向に形成する。
【００４３】
さらに、上記実施形態では、側面外装パネル１２を、左側面部１２ａ、右側面部１２ｂ、上側面部１２ｃから構成したが、各側面部１２ａ〜１２ｃを、それぞれ１個の部材として構成するようにしてもよい。
【００４４】
また、上記実施形態では、スライド板１６を後方にスライドさせたときに、側面外装パネル１２がベース板１０に密着するように、スライド板１６を形成したが、スライド板１６を前方にスライドさせたときに、側面外装パネル１２がベース板１０に密着するように、スライド板１６を形成するようにしてもよい。
【００４５】
また、上記実施形態では、ネジ２０を回転させることにより、スライド板１６をスライドさせるようにしたが、外部から操作可能な操作部材を操作することにより、スライド板１６をスライドさせることができればよく、例えば、バネにより、常にスライド板１６を後方に向けて付勢するようにするとともに、バネの付勢に抗して、スライド板１６を前方にスライドさせる操作レバーを設け、側面外装パネル１２をベース板１０に取り付けるときには、操作レバーを操作して、スライド板１６をバネの付勢に抗して前方にスライドさせた状態で行い、側面外装パネル１２の前後方向の位置決めを行った後に、操作部材の操作を停止し、バネの付勢により、スライド板１６を後方にスライドさせるようにしてもよい。
【図面の簡単な説明】
【００４６】
【図１】本発明を実施したＣＤプレーヤの外観斜視図である。
【図２】ディスクトレイが露出した状態のＣＤプレーヤを示す外観斜視図である。
【図３】ディスクトレイが露出した状態のＣＤプレーヤの内部構造を示す上面図である。
【図４】ベース板と前面外装パネルと側面外装パネルと支持板とスライド板と取付ピンとを示す分解斜視図である。
【図５】支持板とスライド板と取付ピンとを示す分解斜視図である。
【図６】側面外装パネルをベース板に密着させる前のベース板と前面外装パネルと側面外装パネルと支持板とスライド板と取付ピンとネジとを示す分解斜視図である。
【図７】側面外装パネルをベース板に密着させる前及び密着させた後のベース板と側面外装パネルと支持板とスライド板と取付ピンとを示す断面図である。
【図８】側面外装パネルをベース板に密着させた後のベース板と前面外装パネルと側面外装パネルと支持板とスライド板と取付ピンとネジとを示す分解斜視図である。
【符号の説明】
【００４７】
２  ＣＤプレーヤ（電子機器）
４  ケース（電子機器ケース）
７  プレーヤユニット（電子機器本体）
１０  ベース板（ベース部材）
１１  前面外装パネル
１２  側面外装パネル
１２ａ  左側面部
１２ｂ  右側面部
１２ｃ  上側面部
１２ｄ  ピン挿入凹部
１４  支持板
１６  スライド板
１６ａ  ピン挿通孔
１６ｂ  保持部
１６ｃ  円形部
１６ｄ  長孔部
１６ｅ  ネジ孔
１７  取付ピン（挿入ピン）
１７ａ  頭部（一端）
１７ｂ  挿入部
１７ｃ  挿通部
１７ｄ  小径部
１７ｅ  係合部（他端）
２０  ネジ
【図１】
2008117970.tif 000003
【図２】
2008117970.tif 000004
【図３】
2008117970.tif 000005
【図４】
2008117970.tif 000006
【図５】
2008117970.tif 000007
【図６】
2008117970.tif 000008
【図７】
2008117970.tif 000009
【図８】
2008117970.tif 000010